(57)【要約】【課題】バッテリ容量が少なくても空中を通じて目的地まで移動可能とする。【解決手段】移動システム１は、搭乗可能なキャビン１０と、キャビン１０に対して連結および解除可能に構成され、バッテリ２２の電力を消費して空を移動する航空装置１２と、地上を移動する走行装置１４と、を備え、走行装置１４は、航空装置１２のバッテリ２２に電力を供給する給電部（バッテリ２４）を有する。これにより、航空装置１２は、バッテリ容量が少なくても、移動途中において走行装置１４から電力の供給を受けることにより、空中を通じて目的地まで移動することができる。【選択図】図１
2020152212.tif 000002
【特許請求の範囲】
【請求項１】
搭乗可能なキャビンと、
前記キャビンに対して連結および解除可能に構成され、バッテリの電力を消費して空を移動する航空装置と、
地上を移動する走行装置と、を備え、
前記走行装置は、前記航空装置の前記バッテリに電力を供給する給電部を有する移動システム。
【請求項２】
前記走行装置から前記航空装置への給電を行う位置を交通情報に基づいて決定するサーバをさらに備える請求項１に記載の移動システム。
【発明の詳細な説明】
【技術分野】
【０００１】
本発明は、搭乗者が搭乗可能なキャビンを移動させる移動システムに関する。
【背景技術】
【０００２】
特許文献１には、結合するモジュールに応じて、乗客用モジュールを、地上を通じて移動させたり、空中を通じて移動させることが可能な乗客輸送システムが開示されている。
【先行技術文献】
【特許文献】
【０００３】
【特許文献１】特開２０１８−７６０４８号公報
【発明の概要】
【発明が解決しようとする課題】
【０００４】
このような移動システムにおいて、空中を通じて乗客用モジュールを移動させる場合、バッテリ容量（ＳＯＣ）が少ないと、目的地まで移動させることができない。
【０００５】
そこで、本発明は、バッテリ容量が少なくても空中を通じて目的地まで移動可能な移動システムを提供することを目的とする。
【課題を解決するための手段】
【０００６】
上記課題を解決するために、本発明の移動システムは、搭乗可能なキャビンと、キャビンに対して連結および解除可能に構成され、バッテリの電力を消費して空を移動する航空装置と、地上を移動する走行装置と、を備え、走行装置は、航空装置のバッテリに電力を供給する給電部を有する。
【０００７】
また、移動システムは、走行装置から航空装置への給電を行う位置を交通情報に基づいて決定するサーバをさらに備えてもよい。
【発明の効果】
【０００８】
本発明によれば、バッテリ容量が少なくても空中を通じて目的地まで移動可能となる。
【図面の簡単な説明】
【０００９】
【図１】本実施形態による移動システムの構成を示す概略図である。
【図２】キャビン、航空装置および走行装置の関係を説明する図である。
【図３】航空ユニットおよび走行装置の関係を説明する図である。
【図４】データベース部に格納されるキャビンテーブル、航空装置テーブルおよび走行装置テーブルを示す概略図である。
【図５】移動途中における航空ユニットへの給電を説明する図である。
【図６】端末装置における抽出要求部および手配要求部の動作を説明するフローチャートである。
【図７】サーバにおける抽出部および手配部の動作を説明するフローチャートである。
【図８】給電位置決定処理の流れを説明するフローチャートである。
【発明を実施するための形態】
【００１０】
以下に添付図面を参照しながら、本発明の実施形態について詳細に説明する。かかる実施形態に示す寸法、材料、その他具体的な数値等は、発明の理解を容易にするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１１】
図１は、本実施形態による移動システム１の構成を示す概略図である。図１では、制御信号の流れを破線の矢印で示している。以下では、本実施形態に関係する構成や処理について詳細に説明し、本実施形態と無関係の構成や処理については説明を省略する。
【００１２】
移動システム１は、複数種類（図１では、３種類）のキャビン１０、複数種類（図１では、３種類）の航空装置１２、複数種類（図１では、３種類）の走行装置１４、端末装置１６、通信ネットワーク１８およびサーバ２０を含む。ここでは、キャビン１０、航空装置１２および走行装置１４をそれぞれ３種類挙げて説明するが、その種類は、３種類に限らず、１種類でもよいし、２種類でもよいし、４種類以上であってもよい。また、キャビン１０の種類の数、航空装置１２の種類の数および走行装置１４の種類の数は、それぞれ等しくてもよいし、等しくなくてもよい。
【００１３】
キャビン１０は、中空に形成されており、搭乗者が搭乗可能となっている。キャビン１０は、車輪、プロペラおよびそれらの駆動装置を有していない。つまり、キャビン１０は、自体に推進力がない。複数種類のキャビン１０は、例えば、搭乗可能人数などによって、大きさ、形状、外観やデザインなどが異なっていてもよい。なお、図１では、キャビン１０にハッチングを施すことで外観やデザインが異なることを示している。
【００１４】
航空装置１２は、プロペラ、駆動装置およびバッテリ２２を有している。航空装置１２の駆動装置は、バッテリ２２の電力を消費してプロペラを駆動させる。プロペラの数は、例えば、４個であるが、１〜３個であってもよいし、５個以上であってもよい。つまり、航空装置１２は、プロペラを回転させることで揚力を発生させ、空を飛行することができる。航空装置１２は、例えば、ドローン（無人航空機）である。また、航空装置１２には、搭乗者を乗せる部分が付いていない。複数種類の航空装置１２は、飛行するための装置出力やバッテリ容量などによって、大きさや形状などが異なっていてもよい。
【００１５】
走行装置１４は、車輪、駆動装置およびバッテリ２４を有している。走行装置１４の駆動装置は、バッテリ２４の電力を消費して車輪を駆動させる。つまり、走行装置１４は、車輪を回転させることで推進力を発生させ、地上を走行することができる。また、走行装置１４には、搭乗者を乗せる部分が付いていない。つまり、走行装置１４は、電気自動車からキャビンを除いたものに相当する。複数種類の走行装置１４は、走行するための装置出力やバッテリ容量などによって、大きさや形状などが異なっていてもよい。
【００１６】
図２は、キャビン１０、航空装置１２および走行装置１４の関係を説明する図である。キャビン１０には、航空装置連結部３０および走行装置連結部３２が設けられる。航空装置連結部３０は、キャビン１０の鉛直上部に設けられ、走行装置連結部３２は、キャビン１０の鉛直下部に設けられる。
【００１７】
航空装置１２には、キャビン連結部３４が設けられる。キャビン連結部３４は、例えば、航空装置１２の鉛直下部に設けられる。また、走行装置１４には、キャビン連結部３６が設けられる。キャビン連結部３６は、例えば、前輪と後輪との間の鉛直上部に設けられる。
【００１８】
航空装置１２は、キャビン１０に対して連結および解除可能に構成されている。例えば、航空装置１２のキャビン連結部３４には、複数の爪が形成される。また、キャビン１０の航空装置連結部３０には、キャビン連結部３４の複数の爪に対応する溝が形成される。キャビン連結部３４は、航空装置連結部３０を爪で引っ掛けて掴むことで、航空装置連結部３０と連結することができる。また、キャビン連結部３４は、航空装置連結部３０を掴んでいた爪を開くことで、連結されていた航空装置連結部３０との連結を解除することができる。
【００１９】
航空装置１２とキャビン１０とが連結されると、航空ユニット４０が形成される。航空ユニット４０は、空を通じて移動することができる。航空ユニット４０は、基本的には、航空装置１２が自動運転することで、キャビン１０を移動させる。なお、航空ユニット４０は、キャビン１０に設けられる運転装置を通じて、搭乗者の運転によって移動してもよい。
【００２０】
走行装置１４は、キャビン１０に対して連結および解除可能に構成されている。例えば、キャビン１０の走行装置連結部３２には、複数の突起が形成される。走行装置１４のキャビン連結部３６は、走行装置連結部３２の複数の突起を各々挟んで支持することで、走行装置連結部３２と連結することができる。また、キャビン連結部３６は、突起を挟むことを解除することで、連結されていた走行装置連結部３２との連結を解除することができる。
【００２１】
走行装置１４とキャビン１０とが連結されると、走行ユニット４２が形成される。走行ユニット４２は、地上を通じて移動することができる。走行ユニット４２は、走行装置１４が自動運転することでキャビン１０を移動させてもよいし、キャビン１０に設けられる運転装置を通じて、搭乗者の運転によって移動してもよい。
【００２２】
キャビン１０は、航空装置１２に連結される場合、走行装置１４との連結が解除される。また、キャビン１０は、走行装置１４に連結される場合、航空装置１２との連結が解除される。なお、ここでは、総重量の低減化のために航空装置１２または走行装置１４の一方にキャビン１０が連結されると他方との連結を解除する例を挙げているが、キャビン１０は、航空装置１２および走行装置１４の両方に同時に（並行して）連結されてもよい。
【００２３】
以下、航空装置１２および走行装置１４を総称して、移動装置と呼ぶ場合がある。また、航空ユニット４０および走行ユニット４２を総称して、移動ユニットと呼ぶ場合がある。
【００２４】
図３は、航空ユニット４０および走行装置１４の関係を説明する図である。航空ユニット４０は、通常、キャビン１０と走行装置１４との連結が解除された状態で飛行する。ここで、航空ユニット４０は、バッテリ２２のバッテリ容量（ＳＯＣ）が少なくなった場合などにおいて、走行装置１４のバッテリ２４から電力の供給を受けることができる。
【００２５】
具体的には、航空ユニット４０は、走行装置１４上に着陸可能である。航空ユニット４０が走行装置１４上に着陸すると、航空ユニット４０のキャビン１０は、走行装置１４と連結される。つまり、航空装置１２は、キャビン１０を通じて走行装置１４と連結される。
【００２６】
そうすると、図３の実線の矢印で示すように、走行装置１４は、バッテリ２４からキャビン１０を通じて航空装置１２のバッテリ２２に電力を供給することができる。つまり、走行装置１４のバッテリ２４は、航空装置１２のバッテリ２２に電力を供給する給電部として機能する。給電が完了すると、キャビン１０と走行装置１４との連結が解除され、航空ユニット４０は、走行装置１４から離陸して飛行することができる。
【００２７】
なお、図３では、キャビン１０を通じて給電が行われる例を示していた。しかし、走行装置１４のバッテリ２４は、例えば、走行装置１４と航空装置１２とを接続する電力ケーブルなどを通じて、直接的に航空装置１２のバッテリ２２に電力を供給してもよい。この場合、航空ユニット４０のキャビン１０は、必ずしも走行装置１４に連結されなくてもよい。すなわち、航空ユニット４０が走行装置１４の近傍に着陸し、電力ケーブルを通じてバッテリ２２に電力が供給される。
【００２８】
図１に戻って、移動システム１では、キャビン１０および移動装置（航空装置１２および走行装置１４）が複数種類あるため、キャビン１０に対する移動装置の組み合わせパターン（換言すると、移動ユニットのパターン）が複数ある。移動システム１は、例えば、このような複数種類の移動ユニット（複数種類のキャビン１０、航空装置１２および走行装置１４）を複数のユーザ（換言すると、移動ユニットに搭乗する搭乗者）で共有（シェア）するような構成である。
【００２９】
端末装置１６は、例えば、スマートフォンやタブレットなどである。端末装置１６は、通信部５０、入出力インターフェース５２および制御部５４を含む。なお、端末装置１６は、キャビン１０の中に設けられたユーザインターフェースなどであってもよい。
【００３０】
通信部５０は、外部と通信（無線通信または有線通信）を確立し、通信ネットワーク１８を通じて各種の情報を送受信することができる。通信ネットワーク１８は、例えば、通信キャリアの無線通信ネットワークであってもよいし、インターネットであってもよい。具体的には、通信部５０は、通信ネットワーク１８を通じてサーバ２０と通信する。
【００３１】
入出力インターフェース５２は、ユーザによる入力操作を受け付ける入力機能と、各種の情報をユーザに表示するディスプレイなどの出力機能とを有する。
【００３２】
制御部５４は、中央処理装置（ＣＰＵ）、プログラム等が格納されたＲＯＭ、ワークエリアとしてのＲＡＭ等を含む半導体集積回路から構成される。制御部５４は、プログラムを実行することで、抽出要求部５６および手配要求部５８として機能する。
【００３３】
移動システム１では、移動ユニットが複数種類あるため、ユーザが入出力インターフェース５２を通じて入力した抽出条件を満たす移動ユニットが抽出される。抽出条件は、複数種類の移動ユニットの中から、１または複数の移動ユニットを抽出するための各種の情報である。抽出条件は、具体的な内容の説明については省略するが、例えば、搭乗人数など各種設定することができる。
【００３４】
抽出要求部５６は、ユーザによって入力された抽出条件が格納された抽出要求を、通信部５０および通信ネットワーク１８を通じてサーバ２０に送信する。サーバ２０では、複数種類の移動ユニットの中から抽出条件を満たす移動ユニットの抽出が行われる。抽出結果は、端末装置１６に送られる。
【００３５】
抽出要求部５６は、抽出結果を受信すると、抽出結果を入出力インターフェース５２のディスプレイに表示させる。これにより、ユーザは、抽出された移動ユニットの中から使用したい移動ユニットを選択することができる。
【００３６】
ユーザは、抽出された移動ユニットの中から選択した１の移動ユニット、出発地および目的地を、入出力インターフェース５２を通じて入力する。出発地および目的地は、住所で特定してもよいし、建物などのランドマークで特定してもよいし、緯度経度で特定してもよい。
【００３７】
手配要求部５８は、ユーザが入出力インターフェース５２を通じて入力した手配情報が格納された手配要求を、通信部５０および通信ネットワーク１８を通じてサーバ２０に送信する。手配情報には、入力（選択）された移動ユニット、出発地および目的地が含まれる。手配要求は、入力された移動ユニットで出発地から目的地に移動したいことをサーバ２０に要求するものである。
【００３８】
サーバ２０は、移動システム１の管理者によって設置される。サーバ２０は、通信部６０、データベース部６２および制御部６４を含む。
【００３９】
通信部６０は、外部と通信（無線通信または有線通信）を確立し、通信ネットワーク１８を通じて各種の情報を送受信することができる。通信部６０は、端末装置１６、各キャビン１０および各移動装置と通信することができる。
【００４０】
データベース部６２は、例えば、不揮発性メモリで構成される。データベース部６２には、キャビンテーブル、航空装置テーブルおよび走行装置テーブルが格納されている。
【００４１】
図４は、データベース部６２に格納されるキャビンテーブル、航空装置テーブルおよび走行装置テーブルを示す概略図である。図４（ａ）には、キャビンテーブルが示されており、図４（ｂ）には、航空装置テーブルが示されており、図４（ｃ）には、走行装置テーブルが示されている。なお、航空装置テーブルおよび走行装置テーブルを総称して、移動装置テーブルと呼ぶ場合がある。
【００４２】
図４（ａ）に示すように、キャビンテーブルには、キャビン１０の各々を識別するキャビン識別子が記載されている。また、キャビンテーブルには、航空連結タイプおよび走行連結タイプがキャビン識別子に関連付けられて記載されている。航空連結タイプは、例えば、航空装置連結部３０の連結規格などである。走行連結タイプは、例えば、走行装置連結部３２の連結規格などである。
【００４３】
なお、図示を省略するが、キャビンテーブルには、キャビン１０に関する各種の情報（例えば、搭乗可能人数など）が、キャビン識別子に関連付けられて記載されてもよい。
【００４４】
図４（ｂ）に示すように、航空装置テーブルには、航空装置１２の各々を識別する航空装置識別子が記載されている。また、航空装置テーブルには、キャビン連結タイプ、装置出力およびバッテリ容量が、航空装置識別子に関連付けられて記載されている。キャビン連結タイプは、例えば、キャビン連結部３４の連結規格などである。装置出力は、航空装置１２を飛行させるための出力である。
【００４５】
航空装置テーブルにおけるバッテリ容量は、航空装置１２に搭載されるバッテリ２２の容量である。バッテリ容量は、例えば、現在のＳＯＣ（State of Charge）を示し、リアルタイムに更新される。例えば、サーバ２０は、各航空装置１２から現在のバッテリ容量を定期的または所定のタイミングで取得し、航空装置テーブルのバッテリ容量を更新してもよい。所定のタイミングは、例えば、抽出要求を受信したときなどでもよい。
【００４６】
なお、図示を省略するが、航空装置テーブルには、航空装置１２に関する各種の情報（例えば、航空装置１２の形状など）が、航空装置識別子に関連付けられて記載されてもよい。
【００４７】
図４（ｃ）に示すように、走行装置テーブルには、走行装置１４の各々を識別する走行装置識別子が記載されている。また、走行装置テーブルには、キャビン連結タイプ、装置出力およびバッテリ容量が、走行装置識別子に関連付けられて記載されている。キャビン連結タイプは、例えば、キャビン連結部３６の連結規格などである。装置出力は、走行装置１４を走行させるための出力である。
【００４８】
走行装置テーブルにおけるバッテリ容量は、走行装置１４に搭載されるバッテリ２４の容量である。バッテリ容量は、例えば、現在のＳＯＣを示し、リアルタイムに更新される。走行装置テーブルのバッテリ容量の更新は、例えば、航空装置テーブルのバッテリ容量の更新と同様にして行われる。
【００４９】
なお、図示を省略するが、走行装置テーブルには、走行装置１４に関する各種の情報（例えば、走行装置１４の形状など）が、走行装置識別子に関連付けられて記載されてもよい。
【００５０】
また、データベース部６２には、交通情報が格納され、リアルタイムに更新される。交通情報には、カーナビゲーションシステムで利用されるような地図情報、渋滞情報、交通規制情報、道路工事情報などが含まれる。
【００５１】
また、交通情報には、給電位置候補情報も含まれる。給電位置候補情報は、走行装置１４から航空ユニット４０の航空装置１２に給電を行うことが可能な位置（給電位置）の候補を示す。給電位置の候補は、給電時に走行装置１４が停止可能であり、航空ユニット４０が着陸可能な位置に予め設定される。交通情報は、例えば、定期的または所定タイミングで更新される。所定タイミングは、例えば、後述する移動ユニットの手配時などでもよい。
【００５２】
図１に戻って、サーバ２０の制御部６４は、中央処理装置（ＣＰＵ）、プログラム等が格納されたＲＯＭ、ワークエリアとしてのＲＡＭ等を含む半導体集積回路から構成される。制御部６４は、プログラムを実行することで、抽出部６６および手配部６８として機能する。
【００５３】
抽出部６６は、端末装置１６から抽出要求を受信すると、抽出要求に含まれる抽出条件を満たす移動ユニットを抽出する。移動ユニットの抽出については、具体的な内容の説明を省略するが、例えば、抽出部６６は、キャビンテーブルおよび移動装置テーブルを参照し、抽出条件を満たすキャビン１０および移動装置の組み合わせ（移動ユニット）を抽出する。抽出部６６は、移動ユニットの抽出結果を通信部６０および通信ネットワーク１８を通じて端末装置１６に送信する。
【００５４】
手配部６８は、端末装置１６から手配要求を受信すると、手配要求に含まれる手配情報（移動ユニット、出発地および目的地）に基づいて移動ユニットの手配を行う。
【００５５】
ここで、手配要求された移動ユニットが、航空ユニット４０であったとし、航空ユニット４０が出発地に到達したとする。出発地に到達した航空ユニット４０は、バッテリ２２における現在のバッテリ容量が少ないと、出発地から目的地まで移動できない場合がある。そこで、移動システム１では、移動ユニットの手配時において、出発地に到達した航空ユニット４０が、バッテリ容量が少なくて目的地に到達できないと予想されると、移動途中において航空ユニット４０のバッテリ２２への給電を可能にさせる。
【００５６】
図５は、移動途中における航空ユニット４０への給電を説明する図である。図５では、目的地まで移動可能なバッテリ容量がある場合の航空ユニット４０の移動距離を実線の矢印Ａ１０で示している。
【００５７】
バッテリ容量が少ない場合、航空ユニット４０は、そのバッテリ容量の電力で移動可能な距離（移動可能距離）までしか移動できない。移動可能距離は、図５において、出発地を中心とした、二点鎖線の矢印Ａ１２で示す半径に相当する。したがって、移動可能距離の限界は、二点鎖線Ａ１４のようになる。
【００５８】
手配部６８は、手配要求された航空ユニット４０について、現在のバッテリ容量に基づいて移動可能距離を導出する。手配部６８は、移動可能距離（二点鎖線の矢印Ａ１２）が、目的地までの移動距離（実線の矢印Ａ１０）以上ではない場合、移動途中で給電が必要とみなし、交通情報に基づいて給電位置および給電元となる走行装置１４を決定する。以後、給電元となる走行装置１４を、給電用走行装置と呼ぶ場合がある。給電位置および給電用走行装置の決定は、具体的には以下のように行われる。
【００５９】
手配部６８は、交通情報の地図上において候補抽出範囲を設定する。図５では、候補抽出範囲を二点鎖線の閉曲線Ａ２０で示している。候補抽出範囲（閉曲線Ａ２０）は、出発地から大凡目的地に向かう方向であり、航空ユニット４０の移動可能距離の限界（二点鎖線Ａ１４）よりも出発地側に設定される。候補抽出範囲は、給電位置の候補が少なくとも１個以上含まれるように所定の広さに設定される。なお、候補抽出範囲は、給電位置の候補が１個も含まれない場合には、段階的に広さが広がるようにしてもよい。図５では、給電位置の候補を丸印Ｐ１０で示している。交通情報には給電位置候補情報が含まれるため、手配部６８は、交通情報を参照し、候補抽出範囲内に位置する給電位置の候補を取得する。
【００６０】
手配部６８は、給電位置の候補の中から１の給電位置を仮決定する。以後、仮決定された給電位置を仮給電位置と呼ぶ場合がある。手配部６８は、航空ユニット４０が仮給電位置から目的地まで移動するのに必要な残りのバッテリ容量である残必要バッテリ容量を導出する。
【００６１】
手配部６８は、仮給電位置の周囲の走行装置１４の中から、以下の給電条件を満たす走行装置１４を探し出す。給電条件を満たすとは、手配要求された航空ユニット４０のキャビン１０に連結可能であり、所定時間内に仮給電位置に移動可能であり、走行装置１４が給電位置に到達したときのバッテリ容量が残必要バッテリ容量より多いことである。所定時間は、例えば、航空ユニット４０が出発地から仮給電位置に移動するまでの時間以下に設定される。
【００６２】
手配部６８は、このような給電条件を満たす走行装置１４があれば、その走行装置１４を給電用走行装置に決定し、そのときの仮給電位置を給電位置に決定する。
【００６３】
また、手配部６８は、給電条件を満たす走行装置１４がなければ、まだ仮決定されていない給電位置の候補について仮給電位置を再設定し、上述と同様に、再設定された仮給電位置の周囲の走行装置１４の中から、給電条件を満たす走行装置１４を探し出す。
【００６４】
このようにして、手配部６８は、給電条件を満たす給電位置および給電用走行装置を決定する。図５では、決定された給電位置をハッチングされた丸印Ｐ１２で示し、決定された給電用走行装置を、破線の閉曲線Ｐ１４で示している。
【００６５】
なお、給電条件を満たす給電位置および走行装置１４がなかった場合、手配要求のあった航空ユニット４０では目的地まで適切に移動できないため、手配部６８は、移動ユニットの手配エラーを、端末装置１６を通じて報知させてもよい。
【００６６】
給電位置および給電用走行装置が決定されると、手配部６８は、決定された給電用走行装置を決定された給電位置に移動させるように手配する。また、手配部６８は、手配要求のあった航空ユニット４０を出発地に移動させるように手配する。そして、手配部６８は、図５の一点鎖線の矢印Ａ３０で示すように、決定された給電位置を経由して目的地に移動させるように航空ユニット４０の移動先を設定する。
【００６７】
これにより、手配要求された航空ユニット４０は、決定された給電位置において走行装置１４から電力の供給を受けることができる。このため、手配要求された航空ユニット４０は、バッテリ容量が少なかったとしても、目的地まで適切に移動できる。
【００６８】
なお、ここでは、航空ユニット４０への給電が１回（１箇所で）行われる態様を説明していた。しかし、航空ユニット４０の移動途中での給電は、複数回（複数個所で）行われてもよい。この態様における手配部６８は、航空ユニット４０の手配時に、給電位置を複数個所決定し、決定された給電位置毎に給電用走行装置を決定してもよい。
【００６９】
また、本実施形態では、走行装置１４から航空ユニット４０（航空装置１２）に電力を供給していた。これは、航空ユニット４０は、走行装置１４（走行ユニット４２）に比べ、バッテリ容量に対する移動可能距離が短く、目的地まで到達できない可能性が高いからである。また、走行装置１４は、エンジンを駆動して発電した電力でバッテリ２４を充電したり、減速時にモータを発電機として機能させる回生ブレーキなどによってバッテリ容量の減少を抑えることができるため、バッテリ２４から航空ユニット４０のバッテリ２２に十分な電力を供給することができる。
【００７０】
図６は、端末装置１６における抽出要求部５６および手配要求部５８の動作を説明するフローチャートである。抽出要求部５６および手配要求部５８は、ユーザの入力操作に応じた一連の処理を行う。
【００７１】
まず、抽出要求部５６は、ユーザが希望する移動ユニットの抽出条件を受け付ける（Ｓ１００）。例えば、抽出要求部５６は、搭乗人数などの各種の抽出条件の選択肢を入出力インターフェース５２のディスプレイに表示させて、抽出条件の入力をユーザに促す。抽出要求部５６は、入出力インターフェース５２を通じて入力された抽出条件を取得する。抽出要求部５６は、取得した抽出条件が格納された抽出要求をサーバ２０に送信する（Ｓ１１０）。
【００７２】
次に、抽出要求部５６は、抽出結果を受信したか否かを判断する（Ｓ１２０）。抽出結果を受信していない場合（Ｓ１２０におけるＮＯ）、抽出要求部５６は、抽出結果を受信するまで待機する。
【００７３】
抽出結果を受信した場合（Ｓ１２０におけるＹＥＳ）、抽出要求部５６は、抽出結果を入出力インターフェース５２のディスプレイに表示させる（Ｓ１３０）。
【００７４】
次に、ユーザは、抽出されて表示された移動ユニットの中から、使用を希望する移動ユニットを、入出力インターフェース５２を通じて入力する。これにより、手配要求部５８は、移動ユニットの入力を受け付ける（Ｓ１４０）。
【００７５】
次に、手配要求部５８は、出発地の入力を受け付ける（Ｓ１５０）。例えば、手配要求部５８は、入出力インターフェース５２に地図を表示させ、出発地とする地図上の位置をユーザに指定させることで出発地を取得する。なお、手配要求部５８は、出発地の住所を入力させることで出発地を取得してもよい。また、出発地が現在地である場合、手配要求部５８は、出発地を全地球測位システム（ＧＰＳ）によって取得してもよい。
【００７６】
次に、手配要求部５８は、目的地の入力を受け付ける（Ｓ１６０）。例えば、手配要求部５８は、入出力インターフェース５２に地図を表示させ、目的地とする地図上の位置をユーザに指定させることで目的地を取得する。なお、手配要求部５８は、目的地の住所を入力させることで目的地を取得してもよい。
【００７７】
次に、手配要求部５８は、入力された移動ユニットを示す移動ユニット識別子、出発地および目的地が格納された手配要求を送信し（Ｓ１７０）、一連の処理を終了する。
【００７８】
図７は、サーバ２０における抽出部６６および手配部６８の動作を説明するフローチャートである。
【００７９】
抽出部６６は、抽出要求を受信すると、キャビンテーブルおよび移動装置テーブルなどを参照し、抽出要求に含まれる抽出条件を満たす移動ユニットを抽出する（Ｓ２００）。例えば、抽出条件が搭乗人数１人で最短移動したいというようなものである場合、抽出部６６は、１人乗りのキャビン１０と、そのキャビン１０に連結可能な航空装置１２とから構成される１または複数種類の移動ユニットを抽出する。
【００８０】
次に、抽出部６６は、抽出された移動ユニットの各々に、キャビン識別子および移動装置識別子に関連付けられた移動ユニット識別子を付与する。そして、抽出部６６は、抽出された移動ユニットの情報を移動ユニット識別子とともにリスト化し、通信部６０を通じて端末装置１６に送信する（Ｓ２１０）。
【００８１】
次に、手配部６８は、手配要求を受信したか否かを判断する（Ｓ２２０）。手配要求を受信していない場合（Ｓ２２０におけるＮＯ）、手配部６８は、手配要求を受信するまで待機する。
【００８２】
手配要求を受信した場合（Ｓ２２０におけるＹＥＳ）、手配部６８は、手配要求に含まれる移動ユニット識別子が、航空ユニット４０を示すものであるか否かを判断する（Ｓ３００）。航空ユニット４０を示すものではない場合（Ｓ３００におけるＮＯ）、入力された移動ユニットが走行ユニット４２であるため、手配部６８は、入力された移動ユニット（走行ユニット４２）を手配し（Ｓ３８０）、一連の処理を終了する。具体的には、手配部６８は、入力された走行ユニット４２に対応するキャビン１０および走行装置１４と通信し、そのキャビン１０および走行装置１４から成る走行ユニット４２を出発地に移動させる。
【００８３】
一方、航空ユニット４０を示すものである場合（Ｓ３００におけるＹＥＳ）、手配部６８は、入力された移動ユニット（航空ユニット４０）に対してステップＳ３１０以降の処理を行う。つまり、手配部６８は、移動途中で給電が必要か否かを確認する給電要否確認処理を行う。以後、給電要否確認処理の対象となる航空ユニット４０（入力された航空ユニット４０）を、対象航空ユニットと呼ぶ場合がある。また、対象航空ユニットを構成する航空装置１２を、対象航空装置と呼ぶ場合がある。
【００８４】
ステップＳ３１０において、手配部６８は、航空装置テーブルを参照し、対象航空装置の装置出力などに基づいて、対象航空ユニットの移動速度を導出する（Ｓ３１０）。
【００８５】
次に、手配部６８は、航空装置テーブルを参照し、対象航空装置の現在のバッテリ容量および装置出力に基づいて、対象航空ユニットの移動可能時間を導出する（Ｓ３２０）。
【００８６】
次に、手配部６８は、対象航空ユニットの移動速度および移動可能時間に基づいて、対象航空ユニットの移動可能距離を導出する（Ｓ３３０）。
【００８７】
次に、手配部６８は、出発地、目的地および交通情報に基づいて、対象航空ユニットが移動すべき移動距離を導出する（Ｓ３４０）。
【００８８】
次に、手配部６８は、移動可能距離が移動距離以上であるか否かを判断する（Ｓ３５０）。移動可能距離が移動距離以上である場合（Ｓ３５０におけるＹＥＳ）、移動途中での給電が不要とみなし、手配部６８は、ステップＳ３８０の処理に進む。つまり、手配部６８は、入力された移動ユニット（対象航空ユニット）を手配し（Ｓ３８０）、一連の処理を終了する。具体的には、手配部６８は、対象航空ユニットに対応するキャビン１０および航空装置１２と通信し、そのキャビン１０および航空装置１２から成る対象航空ユニットを出発地に移動させる。
【００８９】
一方、移動可能距離が移動距離以上ではない場合（Ｓ３５０におけるＮＯ）、移動途中で給電が必要とみなし、手配部６８は、移動経路の途中において対象航空ユニットへの給電を行う給電位置を決定する給電位置決定処理を行う（Ｓ３６０）。給電位置決定処理（Ｓ３６０）では、給電位置および給電用走行装置が決定される。給電位置決定処理の流れについては、後に詳述する。
【００９０】
次に、手配部６８は、給電位置決定処理（Ｓ３６０）において決定された給電用走行装置を手配する（Ｓ３７０）。具体的には、手配部６８は、給電用走行装置と通信し、その給電用走行装置を給電位置に移動させる。
【００９１】
次に、手配部６８は、入力された移動ユニット（対象航空ユニット）を手配し（Ｓ３８０）、一連の処理を終了する。具体的には、手配部６８は、対象航空ユニットに対応するキャビン１０および航空装置１２と通信し、そのキャビン１０および航空装置１２から成る対象航空ユニットを出発地に移動させる。この際、手配部６８は、対象航空ユニットに、最終的な目的地（端末装置１６を通じてユーザが入力した目的地）だけでなく、最初の目的地として給電位置を設定する。これにより、対象航空ユニットは、移動途中で給電を受けることができ、最終的な目的地に適切に移動可能となる。
【００９２】
図８は、給電位置決定処理の流れを説明するフローチャートである。まず、手配部６８は、対象航空ユニットの移動可能距離および交通情報に基づいて、給電位置の候補を取得する（Ｓ４００）。具体的には、手配部６８は、交通情報の地図上において候補抽出範囲を設定し、交通情報を参照して、候補抽出範囲内に位置する給電位置の候補を取得する。
【００９３】
次に、手配部６８は、候補抽出範囲内および候補抽出範囲の周辺に存在する走行装置１４から各種の情報（走行装置情報）を取得する（Ｓ４１０）。具体的には、手配部６８は、候補抽出範囲内および候補抽出範囲の周辺に向けて、走行装置１４を対象として、走行装置情報をサーバ２０に送信するよう要求する要求信号をブロードキャストする。走行装置情報は、例えば、走行装置識別子、走行装置１４のキャビン連結タイプ、走行装置１４の装置出力、走行装置１４の現在の位置、走行装置１４の現在のバッテリ容量および走行装置１４の現在の使用状況を含む。要求信号を受信した走行装置１４は、このような走行装置情報をサーバ２０に送信する。
【００９４】
次に、手配部６８は、ステップＳ４１０で認識された走行装置１４のうち、現在使用されていない走行装置１４を給電用走行装置の候補に決定する（Ｓ４２０）。
【００９５】
次に、手配部６８は、候補抽出範囲内の給電位置の候補の中から、１の給電位置を仮決定する（仮給電位置を決める）（Ｓ４３０）。
【００９６】
次に、手配部６８は、仮給電位置および目的地に基づいて、仮給電位置から目的地までの残りの移動距離である残移動距離を導出する（Ｓ４４０）。次に、手配部６８は、残移動距離および対象航空ユニットの移動速度に基づいて、仮給電位置から目的地までの残りの移動時間である残移動時間を導出する（Ｓ４５０）。次に、手配部６８は、残移動時間および対象航空ユニットの装置出力に基づいて、残必要バッテリ容量を導出する（Ｓ４６０）。
【００９７】
次に、手配部６８は、給電用走行装置の候補の中から、１の走行装置１４を仮決定する（Ｓ４７０）。以後、仮決定された走行装置１４を、仮走行装置と呼ぶ場合がある。
【００９８】
次に、手配部６８は、仮走行装置が対象航空ユニットのキャビン１０に連結可能か否かを判断する（Ｓ４８０）。例えば、仮走行装置におけるキャビン連結タイプと、対象航空ユニットのキャビン１０における走行装置連結タイプとが共通している場合、連結可能と判断する。
【００９９】
連結可能である場合（Ｓ４８０におけるＹＥＳ）、手配部６８は、交通情報、仮走行装置の現在の位置および仮走行装置の装置出力に基づいて、仮走行装置が仮給電位置まで移動するのに必要な時間である走行装置移動時間を導出する（Ｓ４９０）。
【０１００】
次に、手配部６８は、走行装置移動時間が所定時間以下であるか否かを判断する（Ｓ５００）。
【０１０１】
走行装置移動時間が所定時間以下である場合（Ｓ５００におけるＹＥＳ）、手配部６８は、現在のバッテリ容量、走行装置移動時間および仮走行装置の装置出力に基づいて、仮走行装置が仮給電位置に到達したとき残っていると予想される仮走行装置のバッテリ容量（仮走行装置の仮給電位置でのバッテリ容量）を導出する（Ｓ５１０）。
【０１０２】
次に、手配部６８は、仮走行装置の仮給電位置でのバッテリ容量が残必要バッテリ容量より多いか否かを判断する（Ｓ５２０）。
【０１０３】
仮走行装置の現在のバッテリ容量が残必要バッテリ容量より多い場合（Ｓ５２０におけるＹＥＳ）、手配部６８は、現在の仮走行装置を給電用走行装置に決定する（Ｓ５３０）。そして、手配部６８は、現在の仮給電位置を給電位置に決定し（Ｓ５４０）、図８の一連の処理を終了する。
【０１０４】
また、連結可能ではない場合（Ｓ４８０におけるＮＯ）、走行装置移動時間が所定時間以下ではない場合（Ｓ５００におけるＮＯ）、または、仮走行装置の現在のバッテリ容量が残必要バッテリ容量より多くない場合（Ｓ５２０におけるＮＯ）、手配部６８は、仮走行装置では対象航空ユニットに給電することができないとみなし（Ｓ６００）、ステップＳ６１０の処理に進む。
【０１０５】
ステップＳ６１０において、手配部６８は、給電用走行装置の候補のすべてを仮決定したか否かを判断する。すべてを仮決定していない場合（Ｓ６１０におけるＮＯ）、手配部６８は、ステップＳ４７０の処理に戻り、まだ仮決定されていない給電用走行装置の候補について仮決定する。つまり、手配部６８は、すべての給電用走行装置の候補について、仮給電位置において給電が可能であるかの確認を行うまで、給電用走行装置を順番に仮決定しつつ、仮給電位置において給電が可能であるかの確認を繰り返す。
【０１０６】
給電用走行装置の候補のすべてを仮決定した場合（Ｓ６１０におけるＹＥＳ）、手配部６８は、給電位置の候補についてすべて仮決定したか否かを判断する（Ｓ６２０）。すべて仮決定していない場合（Ｓ６２０におけるＮＯ）、手配部６８は、ステップＳ４３０の処理に戻り、まだ仮決定されていない給電位置の候補について仮決定する。つまり、手配部６８は、すべての給電位置の候補について、その給電位置での給電が可能であるかの確認を行うまで、給電位置を順番に仮決定しつつ、その給電位置での給電が可能であるかの確認を繰り返す。
【０１０７】
給電位置の候補のすべてを仮決定した場合（Ｓ６２０におけるＹＥＳ）、手配部６８は、移動ユニットの手配エラーを報知させ（Ｓ６３０）、図８の一連の処理を終了する。この場合、給電位置の候補のいずれにおいても給電可能な走行装置１４を適切に手配できない。このため、対象航空ユニットでは、移動途中で電力の供給を受けられず、目的地に適切に到達することができない。したがって、この場合、手配部６８は、図７のステップＳ３７０以降の処理を中止し、手配エラーを端末装置１６に送信する。
【０１０８】
端末装置１６は、移動ユニットの手配エラーを受信すると、その旨を入出力インターフェース５２のディスプレイに表示させる。ユーザは、移動ユニットの手配エラーを認識すると、使用を希望する移動ユニットを他の移動ユニットに決定し直して、再度、移動ユニットの手配要求を行ってもよい。
【０１０９】
なお、ここでは、給電が可能な１の仮給電位置および１の仮走行装置が見つかると、給電位置および給電用走行装置をそれらに決定していた。しかし、候補抽出範囲内には、既に決定した給電位置および給電用走行装置よりも更によい給電位置および給電用走行装置があるかもしれない。このため、手配部６８は、給電可能な１の仮給電位置および１の仮走行装置が見つかった後も、候補抽出範囲内に存在する仮給電位置のすべてについて、給電可能な仮給電位置および仮走行装置を探し出してもよい。そして、手配部６８は、見つかった仮給電位置および仮走行装置のうち、給電後に走行装置１４のバッテリ容量が最も残る仮給電位置および仮走行装置を給電位置および給電用走行装置に決定してもよい。また、手配部６８は、見つかった仮給電位置および仮走行装置のうち、給電後に航空装置１２のバッテリ容量が最も残る仮給電位置および仮走行装置を給電位置および給電用走行装置に決定してもよい。
【０１１０】
以上のように、本実施形態の移動システム１は、キャビン１０、航空装置１２および走行装置１４を備えており、走行装置１４は、航空装置１２のバッテリ２２に電力を供給する給電部（具体的には、バッテリ２４）を有している。このため、本実施形態の移動システム１では、航空装置１２およびキャビン１０が連結された航空ユニット４０の移動途中において、走行装置１４の給電部から航空装置１２のバッテリ２２に給電可能である。これにより、航空ユニット４０（航空装置１２）は、移動途中においてバッテリ容量が少なくなったとしても、目的地まで到達することができる。
【０１１１】
したがって、本実施形態の移動システム１によれば、バッテリ容量が少なくても空中を通じて目的地まで移動することができる。
【０１１２】
また、本実施形態の移動システム１では、走行装置１４が移動可能であるため、給電位置を柔軟に決定することができる。このため、本実施形態の移動システム１では、航空装置１２のバッテリ２２に電力を供給する固定設備を各地に設けなくとも、航空装置１２のバッテリ２２に適切に給電可能である。
【０１１３】
また、本実施形態の移動システム１では、走行装置１４から航空装置１２への給電を行う位置が交通情報に基づいて決定される。このため、本実施形態の移動システム１では、より確実に航空装置１２に給電することができる。
【０１１４】
なお、本実施形態では、走行装置１４を走行させる電力と、航空装置１２に給電する電力との両方が、バッテリ２４から出力されていた。しかし、航空装置１２に給電するためのバッテリ（給電部）は、走行装置１４を走行させるためのバッテリ２４と独立して設けられてもよい。
【０１１５】
また、走行装置１４から航空ユニット４０への給電は、走行装置１４のバッテリ２４から航空装置１２のバッテリ２２に電力を供給する態様に限らない。例えば、走行装置１４に航空装置１２の予備のバッテリ２２が予め積載され、給電位置において、航空装置１２のバッテリ２２が、走行装置１４に積載された予備のバッテリ２２と交換されてもよい。
【０１１６】
以上、添付図面を参照しながら本発明の実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【０１１７】
例えば、上記実施形態の航空装置１２は、プロペラを有するドローンであった。しかし、複数の航空装置１２は、ドローンに限らず、例えば、翼によって飛行する航空装置１２を含んでもよい。
【０１１８】
また、上記実施形態の走行ユニット４２は、バッテリ２４の電力を消費して移動する電気自動車であった。しかし、走行ユニット４２は、電気自動車に限らず、例えば、エンジン自動車およびハイブリッド自動車を含んでもよい。この場合、走行装置１４は、エンジン等の駆動系とは別に、航空装置１２のバッテリ２２に電力を供給する給電部を有してもよい。
【０１１９】
また、上記実施形態では、給電条件として、走行装置１４が航空ユニット４０のキャビン１０と連結可能であることが含まれていた。しかし、連結可能であるという条件を給電条件から省略してもよい。これは、走行装置１４から航空装置１２へ直接的に給電する態様では、走行装置１４とキャビン１０とが連結されなくても給電可能だからである。
【０１２０】
また、上記実施形態のサーバ２０では、キャビン１０と移動装置との連結タイプ、移動ユニットの形状、移動ユニットの空力抵抗、移動装置の装置出力、移動装置およびキャビン１０の重量および積載重量、現在のバッテリ容量などから、移動ユニットを構成する移動装置およびキャビン１０の対応付けが適切に行われてもよい。
【産業上の利用可能性】
【０１２１】
本発明は、搭乗者が搭乗可能なキャビンを移動させる移動システムに利用できる。
【符号の説明】
【０１２２】
１  移動システム
１０  キャビン
１２  航空装置
１４  走行装置
２０  サーバ
【図１】
2020152212.tif 000003
【図２】
2020152212.tif 000004
【図３】
2020152212.tif 000005
【図４】
2020152212.tif 000006
【図５】
2020152212.tif 000007
【図６】
2020152212.tif 000008
【図７】
2020152212.tif 000009
【図８】
2020152212.tif 000010